(57)【特許請求の範囲】
【請求項１】
外周に雄ねじ（２）を有する吊りボルト（１）に嵌合される円形孔部（１１）とこの円形孔部の側部に設けられて細長部材（１００）を結束するための結束バンド（５０）を通すバンド挿通孔（１２）とを有する合成樹脂製の固定具本体（１０）が、上記円形孔部（１１）を２つの半円状の分割孔部（２１）、（３１）に２分割する部分を境にして一対の分割体（２０）、（３０）に分割され、一方側の分割体（２０）に上記結束バンド（５０）の基部が一体に連設されていると共に、上記固定具本体（１０）に、上記バンド挿通孔（１２）内に突出してそのバンド挿通孔に通された上記結束バンド（５０）に係合してその結束バンドを固定する係合爪（１８）が設けられ、一対の上記分割体（２０）、（３０）同士が、その一対の分割体の一側端部の相互間に亘って設けられたヒンジ（４０）を介して開閉可能に連結されていると共に、一方側の上記分割体（２０）と他方側の上記分割体（３０）とに、それらの分割体を閉じ合わせたときに互いに係合してこれら双方の分割体を閉じ状態に結合する上下一対の係合部（３５）、（３５）と上下一対の被係合部（２５）、（２５）とが振り分けて設けられ、一対の上記分割体（２０）、（３０）のそれぞれの上記分割孔部（２１）、（３１）に上記吊りボルト（１）の上記雄ねじ（２）に噛み合う噛合部（２３）、（３３）が設けられ、一対の上記分割体（２０）、（３０）を閉じ合わせることにより形成される上記固定具本体（１０）に、上記バンド挿通孔（１２）に通されて上記細長部材（１００）の外側に巻き回された上記結束バンド（５０）と共働して上記細長部材（１００）を挟持する細長部材支持部（１４）が設けられており、
上下一対の上記係合部（３５）、（３５）が、他方側の上記分割体（３０）の上記分割孔部（３１）より他側方の他側端部に設けられた上下一対の突出部（３４）、（３４）のうち上側の突出部（３４）の先端に上向きに突き出した爪と、下側の突出部（３４）の先端に下向きに突き出した爪からなり、
上下一対の上記被係合部（２５）、（２５）が、一方側の上記分割体（２０）の上記分割孔部（２１）より他側方の他側端部に上下一対の上記突出部（３４）、（３４）を挿入可能に形成した空所（２４）内に突き出るように設けられており、
この上下一対の被係合部（２５）、（２５）間には、上下一対の上記係合部（３５）、（３５）が挿入される隙間空間（２７）が形成されて、一方側の上記分割体（２０）と他方側の上記分割体（３０）とを閉じ合わせることで上記空所（２４）内に挿入された上下一対の上記突出部（３４）、（３４）の係合部（３５）、（３５）が上記隙間空間（２７）に差し込まれて上下一対の上記被係合部（２５）、（２５）に係合するように構成されていることを特徴とする吊りボルト用細長部材固定具。
【請求項２】
上記噛合部が、上記吊りボルトの上記雄ねじにねじ合わされる雌ねじでなる請求項１に記載した吊りボルト用細長部材固定具。
【請求項３】
上記細長部材支持部が、一対の上記分割体を閉じ合わせることにより形成される上記固定具本体の下端から側方に突き出た突出部の上面でなる平坦な細長部材受面と、上記固定具本体の外面により形成されて上記細長部材受面の根元から立ち上げられた平坦な立上り面とを有し、上記結束バンドの基部が上記突出部に一体に連設されている請求項１または請求項２に記載した吊りボルト用細長部材固定具。
【請求項４】
上記バンド挿通孔が、一方側の上記分割体に形成された凹入部と他方側の上記分割体に形成された凹入部に分割されていると共に、一方側の上記分割体に上記係合爪が設けられている請求項１、請求項２、請求項３のいずれかに記載した吊りボルト用細長部材固定具。
【請求項５】
一対の上記分割体を閉じ合わせることにより形成される上記固定具本体の上記円形孔部と上記バンド挿通孔とをそれらの並び方向で挟む両側に、上記ヒンジと、上記係合部と上記被係合部との共働による一対の上記分割体の結合部と、が振り分けられるようになっている請求項１、請求項２、請求項３、請求項４のいずれかに記載した吊りボルト用細長部材固定具。
【発明の詳細な説明】
【０００１】
【発明の属する技術分野】
本発明は、電線や電力ケーブル、電線を保護するための保護管などの管材といった細長部材の適所を、天井などに取り付けられた吊りボルトに保持させるときに用いられる吊りボルト用細長部材固定具に関する。
【０００２】
【従来の技術】
従来より建設工事中の建物の電気設備工事において、天井内の遮蔽配線や露出部配線に使われている電線は、天井に取り付けられてケーブルラックなどを支えている吊りボルトにその適所を保持させるといった施工が多々行われている。このような施工方法を採用すると、配線を天井内に浮かせておくことができるので、天井工事に先行して電気設備工事を行うことができるという利点がある。電線を直接に吊りボルトに保持させる場合のほか、その電線を保護管に通して配線するような場合や、電力ケーブルを天井に敷設するような場合などにも同様の利点がある。そして、吊りボルトに電線、電力ケーブルなどの線材や保護管などの管材といった細長部材を直接に保持させる具体的な手段として、従来は、線材や管材などの細長部材と吊りボルトとを紐や針金で直接にくくり付けるといった手段が採用されていた。
【０００３】
【発明が解決しようとする課題】
しかしながら、上記した従来の具体的手段によると、線材や管材などの細長部材と吊りボルトとが擦れ合ってそれらが傷付いたり、吊りボルトにくくり付けた箇所が緩んで細長部材がずれ落ちたりするおそれがあるという問題があった。
【０００４】
本発明は以上の問題に鑑みてなされたものであり、線材や管材などの細長部材の適所を迅速かつ容易に、しかも確実に吊りボルトに固定することができるのみならず、細長部材や吊りボルトを傷付けることのない吊りボルト用細長部材固定具を提供することを目的とする。
【０００５】
また、本発明は、吊りボルトに対する細長部材の固定位置の高さを容易に変更することのできる吊りボルト用細長部材固定具を提供することを目的とする。
【０００６】
さらに、本発明は、線材や管材などの細長部材の本数の多少にかかわらずそれらの細長部材を一つにまとめて吊りボルトに固定することのできる吊りボルト用細長部材固定具を提供することを目的とする。
【０００７】
さらに、本発明は、合成樹脂で容易に一体成形することのできる吊りボルト用細長部材固定具を提供することを目的とする。
【０００８】
【課題を解決するための手段】
請求項１に記載した発明の吊りボルト用細長部材固定具は、外周に雄ねじを有する吊りボルトに嵌合される円形孔部とこの円形孔部の側部に設けられて細長部材を結束するための結束バンドを通すバンド挿通孔とを有する合成樹脂製の固定具本体が、上記円形孔部を２つの半円状の分割孔部に２分割する部分を境にして一対の分割体に分割され、一方側の分割体に上記結束バンドの基部が一体に連設されていると共に、上記固定具本体に、上記バンド挿通孔内に突出してそのバンド挿通孔に通された上記結束バンドに係合してその結束バンドを固定する係合爪が設けられ、一対の上記分割体同士が、その一対の分割体の一側端部の相互間に亘って設けられたヒンジを介して開閉可能に連結されていると共に、一方側の上記分割体と他方側の上記分割体とに、それらの分割体を閉じ合わせたときに互いに係合してこれら双方の分割体を閉じ状態に結合する上下一対の係合部と上下一対の被係合部とが振り分けて設けられ、一対の上記分割体のそれぞれの上記分割孔部に上記吊りボルトの上記雄ねじに噛み合う噛合部が設けられ、一対の上記分割体を閉じ合わせることにより形成される上記固定具本体に、上記バンド挿通孔に通されて上記細長部材の外側に巻き回された上記結束バンドと共働して上記細長部材を挟持する細長部材支持部が設けられおり、
上下一対の上記係合部が、他方側の上記分割体の上記分割孔部より他側方の他側端部に設けられた上下一対の突出部のうち上側の突出部の先端に上向きに突き出した爪と、下側の突出部の先端に下向きに突き出した爪からなり、
上下一対の上記被係合部が、一方側の上記分割体の上記分割孔部より他側方の他側端部に上下一対の上記突出部を挿入可能に形成した空所内に突き出るように設けられており、
この上下一対の被係合部間には、上下一対の上記係合部が挿入される隙間空間が形成されて、一方側の上記分割体と他方側の上記分割体とを閉じ合わせることで上記空所内に挿入された上下一対の上記突出部の係合部が上記隙間空間に差し込まれて上下一対の上記被係合部に係合するように構成されてている、というものである。
【０００９】
この構成の固定具は、一対の分割体を閉じ合わせることによってそれぞれの分割体の分割孔部を吊りボルトに嵌合させると、係合部と被係合部とが係合して双方の分割体が閉じ状態に結合されると共に、それぞれの分割孔部の噛合部が吊りボルトの雄ねじに噛み合って当該固定具が吊りボルトに対してずれ落ちないように固定される。したがって、結束バンドを細長部材の外側に巻き回した状態でバンド挿通孔に通して締め付けると、その結束バンドが係合爪によって固定され、しかもその結束バンドと固定具本体の細長部材支持部とにより細長部材が挟持される。これによって、線材や管材といった細長部材が、固定具本体を介して吊りボルトに固定される。特に、この固定具によると、固定具本体の一方側の分割体と一体に結束バンドが連設されているので、この固定具と別に結束バンドを携帯する必要がない。また、この固定具は、１本の細長部材を吊りボルトに固定することができることは勿論、２本以上の複数本の細長部材であってもそれらをまとめて吊りボルトに固定することができる。
【００１０】
請求項２に記載した発明の吊りボルト用細長部材固定具は、請求項１に記載したものにおいて、上記噛合部が、上記吊りボルトの上記雄ねじにねじ合わされる雌ねじでなる、というものである。
【００１１】
この発明によると、吊りボルトに固定した当該固定具を吊りボルトの回りで回すと、その回す方向に応じて、吊りボルトの雄ねじと雌ねじでなる噛合部との噛合いによりその固定具が上下する。そのため、結束バンドで細長部材を結束する前に、当該固定具を回して細長部材の固定位置の高さを変更することが容易である。また、吊りボルトの雄ねじの広い範囲に噛合部が噛合うので、その雄ねじと噛合部の噛合い状態が確実になり、当該固定具のずれ落ち防止作用がいっそう確実に発揮される。
【００１２】
請求項３に記載した発明の吊りボルト用細長部材固定具は、請求項１または請求項２に記載したものにおいて、上記細長部材支持部が、一対の上記分割体を閉じ合わせることにより形成される上記固定具本体の下端から側方に突き出た突出部の上面でなる平坦な細長部材受面と、上記固定具本体の外面により形成されて上記細長部材受面の根元から立ち上げられた平坦な立上り面とを有し、上記結束バンドの基部が上記突出部に一体に連設されている、というものである。
【００１３】
この発明によると、吊りボルトに固定した固定具本体の細長部材受面に細長部材を受け止めさせておくことができ、また、固定具本体の立上り面に細長部材を寄せかけておくことができるので、結束バンドで細長部材を結束する際、または固定した後に、細長部材の結束箇所が垂れ下がるという事態が起こらなくなる。
【００１４】
請求項４に記載した発明の吊りボルト用細長部材固定具は、請求項１、請求項２、請求項３のいずれかに記載したものにおいて、上記バンド挿通孔が、一方側の上記分割体に形成された凹入部と他方側の上記分割体に形成された凹入部に分割されていると共に、一方側の上記分割体に上記係合爪が設けられている、というものである。
【００１５】
この発明によると、バンド挿通孔が２分割され、しかも係合爪が一方側の分割体に形成されていることにより、ヒンジとそのヒンジを介して連結されている一対の分割体とを合成樹脂で容易に一体成形することができるようになる。
【００１６】
請求項５に記載した発明の吊りボルト用細長部材固定具は、請求項１、請求項２、請求項３、請求項４のいずれかに記載したものにおいて、一対の上記分割体を閉じ合わせることにより形成される上記固定具本体の上記円形孔部と上記バンド挿通孔とをそれらの並び方向で挟む両側に、上記ヒンジと、上記係合部と上記被係合部との共働による一対の上記分割体の結合部と、が振り分けられるようになっている、というものである。
【００１７】
この発明によると、一対の分割体の閉じ合わせ状態が確実に保たれ、しかも大きな閉じ合わせ強度が得られる。
【００１８】
【発明の実施の形態】
図３、図４、図５、図７、図８などに本発明に係る吊りボルト用細長固定具の固定具本体１０の形状ないし構造を示してある。この固定具本体１０は、円形孔部１１と、この円形孔部１１の側部に設けられた平面視矩形のバンド挿通孔１２を備えており、円形孔部１１には、吊りボルト１の外周に具備された雄ねじ２にねじ合わせ可能な雌ねじ１３が設けられており、バンド挿通孔１２には、固定具本体１０に設けられた係合爪１８が突出されている。図２のように、この係合爪１８は把手片１９を有しており、この把手片１９に指の爪先を引っ掛けて図において左方に引くと、係合爪１８がそれと同じ方向へ変位されるようになっている。また、この固定具本体１０の端部（他側端部）には細長部材支持部１４が設けられている。この細長部材支持部１４は、固定具本体１０の下端からその側方に突き出た突出部１５の上面でなる平坦な細長部材受面１６と、固定具本体１０の外面により形成されて細長部材受面１６の根元から立ち上げられた平坦な立上り面１７とを有している。結束バンド５０は、その基部が上記突出部１５に一体に連設されている。この結束バンド５０は、柔軟に形成されており、その長手方向の多数箇所に所定の間隔を隔てて係合孔部５１を有しており、この係合孔部５１が上記係合爪１８に対応されている。
【００１９】
上記固定具本体１０は、上記円形孔部１１の中心とその円形孔部１１の側部に位置している平面視矩形の上記バンド挿通孔１２の長辺の中点を通る仮想面がその固定具本体１０と交差する部分を境にして左右一対の分割体２０，３０に２分割されている。このため、図１、図２、図６などに示したように、上記円形孔部（図３などを参照）１１が２つの半円状の分割孔部２１，３１に２分割されてそれぞれの分割孔部２１，３１が一方側の分割体２０と他方側の分割体３０のそれぞれに振り分けて具備されていると共に、バンド挿通孔１２も一方側の分割体２０に形成された凹入部２２と他方側の分割体３０に形成された凹入部３２とに分割されてそれぞれの凹入部２２，３２が一方側の分割体２０と他方側の分割体３０のそれぞれに振り分けて具備されている。また、固定具本体１０の円形孔部１１に設けられている雌ねじ１３についても同様に２分割されており、その雌ねじ１３が一方側の分割体２０と他方側の分割体３０とに振り分けられて噛合部２３，３３を形成している。
【００２０】
そして、一方側の分割体２０の一側端部と他方側の分割体３０の一側端部との相互間に亘ってヒンジ４０が設けられており、このヒンジ４０によって一対の分割体２０，３０が開閉可能になるように相互に連結されている。また、図１、図２、図４〜図６のように、他方側の分割体３０の分割孔部３１より他側方の他側端部に突出部３４が上下に一対設けられており、上側の突出部３４の先端に上向きに突き出た爪でなる係合部３５が、下側の突出部３４の先端に下向きに突き出た爪でなる係合部３５が、それぞれ設けられている。これに対し、図１、図２、図４、図５のように、一方側の分割体２０の分割孔部２１より他側方の他側端部には空所２４が形成されていると共に、この空所２４内に突き出る上下一対の被係合部２５，２５が設けられている。そのほか、この空所２４には、一対の上記被係合部２５，２５の相互間に位置する支え片２６が斜めに突き出る形で設けられていると共に、図２のように、上記支え片２６と一対の上記被係合部２５，２５との間には、上下一対の上記係合部３５，３５が挿入される隙間空間２７，２７が形成されている。そして、一方側の分割体２０と他方側の分割体３０とを閉じ合わせたときには、図５のように、上記空所２４に挿入された上下の突出部３４，３４の係合部３５，３５が上下の上記隙間空間２７，２７（図２参照）に差し込まれて上下の被係合部２５，２５に係合し、一対の分割体２０，３０を閉じ状態に保持するようになっている。上下の係合部３５，３５が上下の隙間空間２７，２７に差し込まれるときには、係合部３５，３５に具備された傾斜側面３５ａ，３５ａ（図１、図４参照）が上記支え片２６を押してその差込み方向に撓ませると共に、係合部３５，３５が被係合部２５，２５に具備された傾斜面２５ａ，２５ａ（図５参照）に押されて突出部３４，３４が内方へ撓む。そのため、係合部３５，３５が支え片２６を乗り越えた後、突出部３４，３４が元の姿勢に復帰して係合部３５，３５が被係合部２５，２５に係合する。また、突出部３４，３４が元の姿勢に復帰するのに伴って、支え片２６も元の姿勢に復帰して上下の係合部３５，３５に重なり、それらの係合部３５，３５が互いに近付く方向に変位してそれらの係合部３５，３５が被係合部２５，２５から離脱することを阻止する。
【００２１】
図４および図５のように一対の分割体２０，３０を閉じ合わせたときには、それぞれの分割体２０，３０によって固定具本体１０が形成される。そのため、半円状の分割孔部２１，３１が円形につながって円形孔部１１を形成し、凹入部２２，３２がつながって平面視矩形のバンド挿通孔１２を形成する。
【００２２】
以上説明した固定具において、ヒンジ４０は一方側の分割体２０と他方側の分割体３０との相互間に亘ってそれらの分割体２０，３０と一体に成形された合成樹脂の薄片でなる。また、上記した突出部３４やそれと一体の係合部３５は他方側の分割体３０と一体に合成樹脂で成形され、上記した被係合部２５や支え片２６などは一方側の分割体２０と一体に合成樹脂で成形されている。すなわち、上記した固定具は、その全体が合成樹脂の一体成形体でなる。そして、上記ヒンジ４０は、それに力を加えていない自然状態では、一対の分割体２０，３０が開いた状態になるように成形されている。
【００２３】
また、図４に示されているように、一対の分割体２０，３０を閉じ合わせることにより形成される固定具本体１０の円形孔部１１とバンド挿通孔１２とをそれらの並び方向で挟む両側に、ヒンジ４０と、係合部３５と被係合部２５との共働による一対の分割体２０，３０の結合部イとが振り分けられるようになっている。
【００２４】
次に、建物の天井に取り付けられている吊りボルト１に電線または電力ケーブルでなる細長部材１００を固定する場合を説明する。
【００２５】
一対の分割体２０，３０のうちのいずれか、たとえば一方側の分割体２０の分割孔部２１を図６のように吊りボルト１に嵌合させると共に、その一対の分割体２０，３０をヒンジ４０を中心にして図７のように閉じ合わせると、図４および図５のように、係合部３５と被係合部２５とが係合してその閉じ状態が保持され、固定具本体１０が形成される。そして、図７のように、固定具本体１０の円形孔部１１が吊りボルト１に嵌合した状態になり、それぞれの分割体２０，３０の噛合部２３，３３によって形成される円形孔部１１の雌ねじ１３が吊りボルト１の雄ねじ２に噛み合う。このため、固定具が吊りボルト１に対してずれ落ちないように固定される。こうして吊りボルト１に固定した固定具が適正な高さになっていないときには、その固定具を吊りボルト１の回りで回すと、吊りボルト１側の雄ねじ２と固定具側の雌ねじ１３との噛合いによりその固定具が上下するので、そのことを利用して固定具の高さを適正に調節する。
【００２６】
この後、その結束バンド５０を図８のように線材または電力ケーブルでなる細長部材１００の外側に巻き回した状態で、その結束バンド５０をバンド挿通孔１２に通して締め付ける。このようにすると、図９に示したように、結束バンド５０の所定箇所の係合孔部５１が係合爪１８に係合して結束バンド５０が固定される。したがって、結束バンド５０と固定具本体１０の細長部材支持部１４とにより細長部材１００が挟持されて固定される。結束バンド５０で細長部材１００を締め付けるときには、細長部材支持部１４の細長部材受面１６や立上り面１７によって細長部材１００を受け止めさせておくことができるので、結束バンド５０の締付作業を容易かつ確実に行う上で有利であり、また、固定した後には、細長部材１００の自重で結束バンド５０による結束箇所が垂れ下がるという事態が起こらなくなるという利点がある。
【００２７】
なお、上記係合爪１８と結束バンド５０の係合孔部５１との係合は、係合爪１８の把手片１９を指の爪先に引っ掛けて図９に仮想線で示したように左方へ引っ張ることによって解除される。そのため、固定すべき細長部材１００の本数を増減する必要が生じたようなときには、そのようにして一旦結束バンド５０の固定を解除した後、結束バンド５０を上記した要領で再度締め付けるようにすればよい。
【００２８】
この実施形態では、一対の分割体の分割孔部に設けられる噛合部を雌ねじで形成しているけれども、噛合部を突起によって形成することもできる。また、固定具本体を一対の分割体に２分割する部分は図例の場合に限定されない。すなわち、固定具本体をその円形孔部を２つの半円状の分割孔部に２分割する部分であればよく、必ずしもバンド挿通孔１２を２分割する部分である必要はない。
【００２９】
この発明に係る固定具は、電線や電力ケーブルなどの線材に限らず、保護管やその他の管材に対して用い得る。
【００３０】
【発明の効果】
本発明に係る吊りボルト用細長部材固定具によれば、一対の分割体を閉じ合わせてそれらの分割体を吊りボルトに嵌合すると共に、結束バンドをバンド挿通孔に通して細長部材を締め付けるだけで、一本または複数本の線材や管材といった細長部材を固定具本体を介して吊りボルトに固定することができる。そのため、天井工事に先行して配線することが可能になる。しかも、吊りボルトに細長部材を直接にくくり付けるものでないので、細長部材や吊りボルトが傷付くことがない。合成樹脂製の固定具は細長部材を絶縁して吊りボルトに固定できる。
【００３１】
特に請求項２に記載した発明によれば、吊りボルトに対する細長部材の固定位置の高さを変更することが容易であるので、細長部材の固定位置の高さを適切な高さに定めやすくなるという効果がある。
【００３２】
その他、本発明によれば、結束バンドを当該固定具と共に合成樹脂で一体成形して安価に提供することができるという効果がある。
【図面の簡単な説明】
【図１】  本発明の実施の一形態を示す固定具の一対の分割体が開いているときの平面図である。
【図２】  図１の固定具の一対の分割体が開いているときの内面側を表した側面図である。
【図３】  一対の分割体を閉じ合わせて形成される固定具本体の平面図である。
【図４】  上記固定具本体の一部破断平面図である。
【図５】  図４のＶ−Ｖ線に沿う部分を表す断面図である。
【図６】  固定具を吊りボルトに嵌合させるときの初期段階を平面図で表した説明図である。
【図７】  固定具を吊りボルトに嵌合させたとき段階を平面図で表した説明図である。
【図８】  固定具を介して吊りボルトに細長部材を固定した状態を側面図で表した説明図である。
【図９】  結束バンドの固定状態を示した要部拡大側面図である。
【符号の説明】
１  吊りボルト
２  雄ねじ
１０  固定具本体
１１  円形孔部
１２  バンド挿通孔
１３  雌ねじ
１４  細長部材支持部
１５  突出部
１６  細長部材受面
１７  立上り面
１８  係合爪
２０，３０  分割体
２１，３１  分割孔部
２２，３２  凹入部
２３，３３  噛合部
２４ 空所
２５  被係合部
２７ 隙間空間
３４ 突出部
３５  係合部
４０  ヒンジ
５０  結束バンド
イ  結合部
１００  細長部材
【図１】
0003859305.tif 000002
【図２】
0003859305.tif 000003
【図３】
0003859305.tif 000004
【図４】
0003859305.tif 000005
【図５】
0003859305.tif 000006
【図６】
0003859305.tif 000007
【図７】
0003859305.tif 000008
【図８】
0003859305.tif 000009
【図９】
0003859305.tif 000010